(57)【特許請求の範囲】
【請求項１】
暖房機枠体１の片側に寄せてバーナ２を配置し、該バーナ２の上部に燃焼室３と熱交換部４を設けて放熱部Ａを構成し、
かつ、暖房機枠体１の他側に放熱部Ａと並べて燃料供給手段５を設けて制御機構部Ｂを構成し、
放熱部Ａと制御機構部Ｂとの間の隔壁を側壁として放熱部Ａの周囲に送風流路６を設け、
枠体１の背面には送風流路６の入口にのぞませて送風機７を設け、
該枠体１の前面には放熱部Ａと制御機構部Ｂとの前方に送風流路６の出口を形成する横長の温風吹出口８を設け、
温風吹出口８と対抗する制御機構部Ｂの前面に吹出口前板９を設け、
温風吹出口８内を横に伸びるルーバ１０と前記吹出口前板９との間に側部が送風流路６につながる送風間隔１１を設け、
該送風流路６の温風を送風間隔１１へ誘導する温風暖房機の吹出口において、
燃焼室３の天板３ａには上方へ伸びる複数本の熱交換パイプ４ａを設け、
該熱交換パイプ４ａの上端には排気管１２に連なる排気ガス室４ｂを取付け、
前記送風機７は熱交換パイプ４ａに向けて枠体１の背面に取付け、
送風流路６の上部に位置する枠体１の前面板１ａの内側に送風流路前板１３を設け、
放熱部Ａの前方の前記温風吹出口８は燃焼室３の上部と熱交換パイプ４ａの下部の前方に位置させると共に、
該放熱部Ａの前方の温風吹出口８のルーバ１０の内側に送風邪魔板１４を設けて上下に通風路８ａ・８ｂを形成し、
送風邪魔板１４の側部を送風流路６の側壁に接続し、他方の側部を制御機構部Ｂの吹出口前板９とルーバ１０との送風間隔１１にのぞませ、
温風吹出口８に設けた送風邪魔板１４の下縁は燃焼室３の天板３ａ付近に位置させて、送風邪魔板１４の下方の通風路８ｂに向う送風機７の風が燃焼室３に遮られるようにしたことを特徴とする薄形温風暖房機の吹出口。
【請求項２】
送風流路６の側壁から燃焼室３の側部に向けて空気遮蔽板１５を取付け、
前記送風邪魔板１４の下方の通風路８ｂに向う送風機７の風が燃焼室３と空気遮蔽板１５とに遮られるようにしたことを特徴とする請求項１記載の薄形温風暖房機の吹出口。
【請求項３】
制御機構部Ｂの吹出口前板９と送風流路６の側壁との接続部は空気遮蔽板１５よりも前方で、かつ、燃焼室３の前縁よりも後部に設けることを特徴とする請求項２記載の薄形温風暖房機の吹出口。
【発明の詳細な説明】
【０００１】
【産業上の利用分野】
この発明は奥行きが短い薄形でコンパクトな枠体形状を用いながら、枠体正面下方に設けた幅広の温風吹出口の全体を使って温風を吹き出す温風暖房機に関するものである。
【０００２】
【従来の技術】
古いタイプの温風暖房機はバーナや燃焼室や熱交換室などの放熱部を枠体の中央に配置し、その両側に電装部品や油タンクなどの燃料供給手段などのバーナの為の制御機構部を配置することが行なわれてきた。この構造は枠体の正面中央から暖房熱量が放出されるから、暖房機としては好ましい構造であるが、制御機構部を構成する各種部品が左右に分断されて配置される為に配置効率が悪く、枠体形状は大きなものになってしまっている。
【０００３】
最近のように暖房機でもコンパクトな形状が要求されると、このような部品配置では枠体形状が大きくなって小形化が困難であるから、バーナや燃焼室や熱交換室などの放熱部と電装部品や油タンクなどの燃料供給手段などのバーナの為の制御機構部とを横に並べて配置することが行なわれてきた。この構造によって暖房機の横幅を小さくすることができ、コンパクト化に寄与することができた。
【０００４】
しかし、枠体の片側にバーナや燃焼室や熱交換室などの放熱部を配置する構造では、温風などの暖房熱量は枠体の片側からのみ吹き出すことになってしまい、暖房の開始直後では暖房機の前方の一部分についてのみ暖房できても、大部分の暖房機の前方では室内の温度が上昇するまで待たなければならず、かなりの時間が必要となっている。このため、暖房機の運転開始直後から枠体の前方で採暖する人達を均一に暖房する構造として、電装部品や油タンクなどの燃料供給手段などのバーナの為の制御機構部を配置する部分の前方にも放熱部の前方から連続する温風吹出口を設け、枠体の前面の全体に形成する横長の温風吹出口の全てから温風が吹き出すことが要求される。
【０００５】
出願人は、このような枠体の前面の全体に形成する横長の温風吹出口の全てから温風が吹き出す構造の提案を行なっており、この構造の基本は制御機構部の吹出口前板と温風吹出口のルーバとの間に間隔を設け、この間隔に向けて片側に寄せたバーナや燃焼室や熱交換室などの放熱部の周囲に設けた送風流路を通過する温風が廻り込むようにすることである。
【０００６】
しかし、枠体の背面に設けた送風機がこの送風流路に室内空気を送り込んでも送風機の風は前方へ流れるだけであり、単純に電装部品や油タンクなどの燃料供給手段などのバーナの為の制御機構部の吹出口前板と、温風吹出口のルーバとの間に間隔をあけただけは、この間隔に送風機の風が流れ込むことはなく、放熱部の前方に向けて温風が吹き出すから、何等かの構造によって空気流が吹出口前板とルーバとの間に送り込ませる必要がある。
【０００７】
このための構造として出願人は二つの構造を提案しており、その一つは吹出口前板を送風流路から他端に前方に向けて傾斜させる構造であり、この構造だけではこの傾斜した吹出口前板に沿った空気流が期待した程得られないから、更に、送風流路の側板と吹出口前板の連続部は送風流路を狭めるような出っ張りを設けてから吹出口前板に連続する構成とすることにより、
一端狭められた温風の流れが拡がる時に温風は吹出口前板の前面に廻り込んで吹出口前板に付着して流れるようになり、制御機構部の前方にも温風が吹き出すことができたものである。（特願平１０−１４０５７３号参照）
【０００８】
また、もう一つの構造は送風流路の天板を温風吹出口に向けて傾斜させることで、温風吹出口には乱流のない強い空気流を形成し、横長のルーバは燃焼室側が拡がる断面Ｖ形に形成し、このＶ形内に向かう温風がＶ形のルーバ内を制御機構部の前面方向に流れ、制御機構部の前方にも温風が吹き出すことができたものである。（特願平１０−１４０５７２号参照）
【０００９】
【発明が解決しようとする課題】
このように、従来の出願人の制御機構部の前方から温風を吹き出す構造の提案は、バーナや燃焼室や熱交換室などの放熱部を構成する部品から温風吹出口のルーバまでの距離を大きくする必要があり、この部分を温風が通過する間に第１の提案構造では温風を制御機構部の前方に誘導し、また、第２の提案構造では放熱部を構成する温風吹出口側の部品の上部付近から送風流路の天板を温風吹出口に向けて傾斜させており、いずれも放熱部を構成する部品から温風吹出口のルーバとの間に大きな寸法が不可欠である。
【００１０】
このため、従来のコンパクト化した枠体形状で、枠体前面の全体に伸びる温風吹出口を使って温風を吹き出す構造では、横幅寸法を狭くすることはできても、奥行き寸法を短くすることができず、前後方向のコンパクト化を犠牲にすることになってしまっていた。
【００１１】
枠体前面の横長の温風吹出口の全てを使って温風を吹き出す構造を実現しながら暖房機のコンパクト化を実現するための課題は、奥行き寸法が短い状態でこの温風吹出し機能を実現することであり、従来ではこの課題をクリヤできる構造を実現した暖房機は市販されていない。
【００１２】
【課題を解決するための手段】
この発明は上記課題を解決するためにバーナや燃焼室や熱交換室などの放熱部の構成や、放熱部の周囲の送風流路を特定するので、暖房機枠体１の片側に寄せてバーナ２を配置し、該バーナ２の上部に燃焼室３と熱交換部４を設けて放熱部Ａを構成し、かつ、暖房機枠体１の他側に放熱部Ａと並べて燃料供給手段５を設けて制御機構部Ｂを構成し、放熱部Ａと制御機構部Ｂとの間の隔壁を側壁として放熱部Ａの周囲に送風流路６を設け、枠体１の背面には送風流路６の入口にのぞませて送風機７を設け、該枠体１の前面には放熱部Ａと制御機構部Ｂとの前方に送風流路６の出口を形成する横長の温風吹出口８を設け、温風吹出口８と対抗する制御機構部Ｂの前面に吹出口前板９を設け、温風吹出口８内を横に伸びるルーバ１０と前記吹出口前板９との間に側部が送風流路６につながる送風間隔１１を設け、該送風流路６の温風を送風間隔１１へ誘導する温風暖房機の吹出口において、燃焼室３の天板３ａには上方へ伸びる複数本の熱交換パイプ４ａを設け、該熱交換パイプ４ａの上端には排気管１２に連なる排気ガス室４ｂを取付け、前記送風機７は熱交換パイプ４ａに向けて枠体１の背面に取付け、送風流路６の上部に位置する枠体１の前面板１ａの内側に送風流路前板１３を設け、放熱部Ａの前方の前記温風吹出口８は燃焼室３の上部と熱交換パイプ４ａの下部の前方に位置させると共に、該放熱部Ａの前方の温風吹出口８のルーバ１０の内側に送風邪魔板１４を設けて上下に通風路８ａ・８ｂを形成し、送風邪魔板１４の側部を送風流路６の側壁に接続し、他方の側部を制御機構部Ｂの吹出口前板９とルーバ１０との送風間隔１１にのぞませ、温風吹出口８に設けた送風邪魔板１４の下縁は燃焼室３の天板３ａ付近に位置させて、送風邪魔板１４の下方の通風路８ｂに向う送風機７の風が燃焼室３に遮られてスムーズな流れができないようにして、送風間隔１１への温風の流れを作っている。
【００１３】
また、送風流路６の側壁から燃焼室３の側部に向けて空気遮蔽板１５を取付け、前記送風邪魔板１４の下方の通風路８ｂに向う送風機７の風が燃焼室３と空気遮蔽板１５とに遮られる構成とすることで、燃焼室３の形状が送風流路６の大きさに比べて小さな暖房器にも対応できるようになる。
【００１４】
更に、制御機構部Ｂの吹出口前板９と送風流路６の側壁との接続部は空気遮蔽板１５よりも前方で、かつ、燃焼室３の前縁よりも後部に設けることによって、空気遮蔽板１５の前面に向う温風が制御機構部Ｂの吹出口前板９の前方に流れ易くなる。
【００１５】
【作用】
上記の構成のこの発明の暖房器では送風機７によって送られた風は、燃焼室３に遮られて回り込んだり飛び越えたりせずに、直接熱交換パイプ４ａの間を抜けて送風流路前板１３や温風吹出口８に向かって吹き付けるようになり、送風機７の風は熱交換パイプ４ａや燃焼室３の天板３ａ部分を通過するときに暖められている。この時、送風流路前板１３に吹き付けられた温風は送風流路前板１３に遮られながら温風吹出口８に向かうようになり、放熱部Ａの前方の温風吹出口８には送風邪魔板１４が設けてあるから、多くの温風は送風邪魔板１４の上部の通風路８ａから前方に吹出すものである。
【００１６】
また、送風邪魔板１４の下縁を燃焼室３の天板３ａ付近に位置させたから、送風機７の風は燃焼室３に邪魔されて送風邪魔板１４の下部の通風路８ｂに直接向かうことができなくなり、送風邪魔板１４に向かって吹付けることになる。この送風邪魔板１４にぶつかった温風は、送風流路前板１３に遮られた温風が流れる通風路８ａには流れにくく、大部分の温風は通風路８ｂと送風邪魔板１４の側方に向かうようになり、制御機構部Ｂの前方の送風間隔１１からルーバ１０の間を抜けて暖房機の前方に吹出すようになった。
【００１７】
また、送風邪魔板１４に吹付けられた一部の温風が下方の通風路８ｂから温風吹出口８に流れることによって、通風路８ａから吹出す温風は送風邪魔板１４の前面に沿って下方に向かうことなく枠体１の前方に流れ、暖房機の前方に向かって温風が吹出すことができる。
【００１８】
【実施例】
実施例を示す図によってこの構成を説明すると、１は暖房機の枠体、２は枠体１内の片側に寄せて配置したバーナ、３はバーナ２の上部に設けた燃焼室、４は燃焼室３の上部に配置した熱交換部であり、バーナ２や燃焼室３や熱交換部４は放熱部Ａを構成している。
【００１９】
５は暖房機枠体１の他側に放熱部Ａと並べて配置された定油面器とその上に取り付けられた電磁ポンプとで構成する燃料供給手段、１６はバーナ２に燃焼空気を供給する燃焼用ファンモータ、１７は暖房機のコントローラであり、該燃料供給手段５や燃焼用ファンモータ１６やコントローラ１７は制御機構部Ｂを構成している。
【００２０】
６は枠体１内の放熱部Ａの周囲に設けた送風流路、６ａは放熱部Ａと制御機構部Ｂとの間の隔壁を構成する送風流路側板、７は送風流路６の入口にのぞませて枠体１の背面に設置した送風機である。１ａは枠体１の前面板、８は前面板１ａに設けて送風流路６の出口を形成する横長の温風吹出口であり、送風機７を運転すると室内空気は送風機７によって枠体１内の送風流路６に吹き込まれ、送風流路６内の放熱部Ａによって温風となって温風吹出口８から暖房機の前方に吹き出している。
【００２１】
このように暖房機として放熱部Ａの側方に制御機構部Ｂを配置する構成であれば、従来のように放熱部分を枠体１の中央に配置したものよりも暖房機の横幅を小さくすることができ、コンパクト化に寄与することができた。しかし、この構造では温風などの暖房熱量は枠体１の片側からのみ吹き出すことになってしまい、暖房の開始直後では暖房機の前方の一部分についてのみ暖房できても、大部分の暖房機の前方では室内の温度が上昇するまで待たなければならず、かなりの時間が必要となっている。
【００２２】
このため、暖房機の運転開始直後から枠体１の前方で採暖する人達を均一に暖房する構造として、前記枠体１の前面板１ａに設けた温風吹出口８は放熱部Ａだけでなく制御機構部Ｂの前面まで横に伸ばす構成が採用されており、９は温風吹出口８と対抗する制御機構部Ｂの前面に設けた吹出口前板、１０は放熱部Ａから制御機構部Ｂの前面に設けた温風吹出口８内に横に伸ばして配置したルーバ、１１は制御機構部Ｂの前面でルーバ１０と吹出口前板９で構成する送風間隔であり、該送風間隔１１の放熱部Ａ側の側部は送風流路６の側板６ａに接続することで、送風流路６の温風が送風間隔１１まで流入して枠体１の前面板１ａの全体に形成する横長の温風吹出口８の全てから温風が吹き出すことを期待している。
【００２３】
しかし、枠体１の背面に設けた送風機７が送風流路６に室内空気を送り込んでも、送風機７の風は放熱部Ａの前方へ向かって流れるから、制御機構部Ｂの前方の送風間隔１１に温風を回り込ませるためには、放熱部Ａを構成する部品から温風吹出口８のルーバ１０までの間に温風を送風間隔１１に誘導する部材が必要であり、せっかく放熱部Ａと制御機構部Ｂを横に並べて枠体１の横幅が狭くできても、このような誘導部材を使うことによって逆に枠体１の奥行きは大きな寸法になってしまっていた。
【００２４】
この発明は暖房機の奥行き寸法が短くできる誘導部材とその関連構造にかかる提案によって、暖房機の枠体１の横幅だけでなく奥行き寸法を短くしながら、枠体１の前面板１ａの温風吹出口８の全体から温風が吹き出すようにするものであり、１４は放熱部Ａの前方の温風吹出口８のルーバ１０の内側に設けた送風邪魔板である。
【００２５】
このように暖房機の奥行き寸法を短くしながら制御機構部Ｂの前面の温風吹出口８から温風を吹出す構造として、放熱部Ａの前面の温風吹出口８に平板状の送風邪魔板１４を配置すれば、放熱部Ａの前方に吹き出す温風の流れが変化して、制御機構部Ｂの前方にも流れることが期待される。しかし、実際に送風邪魔板１４にぶつかった温風は側方の制御機構部Ｂの前方へ流れるよりも上下に分流して流れると共に、枠体１の前方への風速が極端に遅くなり、温風暖房機として機能しないことがわかったものである。
【００２６】
しかし、枠体１の奥行き寸法を短くするための方法は、送風邪魔板１４を設ける構造と、制御機構部Ｂの吹出口前板９と温風吹出口８のルーバ１０との間に送風間隔１１を設ける構造との組み合わせ以外に考えられないことから、この基本構造の基で制御機構部Ｂの前方にも温風が吹出す構造の提案が新しい課題となっている。
【００２７】
この発明は送風邪魔板１４に温風を吹き付ける送風流路６内の構造を特定することによって、送風邪魔板１４が有効に働いて温風を送風間隔１１に誘導しようとするもので、３ａは送風流路６内に位置する燃焼室３の天板、４ａは燃焼室３の天板３ａから上方へ伸びる複数本の熱交換パイプ、４ｂは熱交換パイプ４ａの上端に設けた排気ガス室、１２は排気ガス室４ｂから排気ガスを枠体１外に導く排気管であり、前記熱交換部４は燃焼室３の上部と、熱交換パイプ４ａと、排気ガス室４ｂとで構成し、該燃焼室３の上部付近が送風流路６内に位置するように配置している。
【００２８】
バーナ２で発生した高温の燃焼ガスは燃焼室３から熱交換パイプ４ａを経て排気ガス室４ｂに集められ、排気管１２から外部に排出され、高温となる燃焼室３と熱交換パイプ４ａと排気ガス室４ｂは送風流路６内に位置して送風機７で送られる風と熱交換して温風を作り出している。
【００２９】
１３は枠体１の前面板１ａの内側に位置して送風流路６の上部に設けた送風流路前板であり、枠体１の背面に取付けられた前記送風機７は燃焼室３よりも上方の熱交換パイプ４ａに向けて配置し、また、送風流路６内の放熱部Ａの前方に位置する前記温風吹出口８は、上部が送風流路前板１３で塞がれた送風流路５の下部に位置して燃焼室３の上部と熱交換パイプ４ａの下部に配置している。このため、熱交換部４で高温となって得られた温風は燃焼室３などに邪魔されることなく直接送風流路前板１３と温風吹出口８に向けて吹き付けることができる。
【００３０】
８ａは放熱部Ａの前方の温風吹出口８においてルーバ１０の内側に設けた送風邪魔板１４の上部と温風吹出口８の端部との間に形成した通風路、８ｂは送風邪魔板１４の下部と温風吹出口８の端部との間に形成した通風路であり、該送風邪魔板１４の側部は送風流路６の側壁に接続し、他方の側部を制御機構部Ｂの吹出口前板９とルーバ１０との送風間隔１１にのぞませてある。また、送風邪魔板１４の下縁は燃焼室３の天板３ａ付近に位置させており、暖房機の枠体１の奥行きを短くした結果、燃焼室３の前縁は温風吹出口８に接近しており、実質的に送風邪魔板１４は燃焼室３の天板３ａの前縁付近に位置させてもよい。
【００３１】
上記の構成において、送風機７によって送風流路６に送られた室内空気は燃焼室３の天板３ａや熱交換パイプ４ａや排気ガス室４ｂによって暖められ、温風となって正面の送風流路前板１３や温風吹出口８に向けて送られる。この温風が送られる正面の温風吹出口８には送風邪魔板１４が設けられており、温風は送風邪魔板１４の上下の通風路８ａ・８ｂから暖房機の前方に吹出すものである。
【００３２】
送風流路６は上部前面が送風流路前板１３によって遮られているから、送風流路前板１３に吹き付けられた温風は下方の温風吹出口８に向かって流れ、温風吹出口８には送風邪魔板１４が設置されているから送風邪魔板１４の上部の通風路８ａから枠体１の前方に吹出すことになる。また、熱交換パイプ４ａの間を抜けて温風吹出口８の送風邪魔板１４に向かって流れる温風は、上部の通風路８ａには送風流路前板１３で遮られた温風が流れるから、上部の通風路８ａには流れにくく、下部の通風路８ｂもしくは側方の送風間隔１１に向かって流れて枠体１の前方に吹出すことになる。
【００３３】
しかし、送風邪魔板１４の下縁は燃焼室３の天板３ａ付近に位置しており、かつ、燃焼室３はかなり温風吹出口８のルーバ１０に接近しているから下部の通風８ｂへの流路は狭く、また、送風邪魔板１４の下方の通風路８ｂに直接向かおうとする送風機７の風は燃焼室３に遮られて、強い流れの温風が送風邪魔板１４の下部の通風８ｂには向かうことができなくなり、結局、送風邪魔板１４にぶつかった大部分の温風は、通風８ｂと送風邪魔板１４の側方に向かうようになった。従って、送風機７で放熱部Ａの送風流路６に送られた室内空気が、温風となって送風邪魔板１４にぶつかって制御機構部Ｂの前方の送風間隔１１に流れ、ルーバ１０の間を抜けて制御機構部Ｂの前方からも温風が吹出す目的が達成できた。
【００３４】
尚、送風流路前板１３によって遮られた温風が吹き出す上部の通風路８からの温風吹き出し方向は下向きであり、送風邪魔板１４の前面に沿って床面に向いてしまう。この発明の送風邪魔板１４の下部の通風路８ｂには、直接強い温風の流れができないといっても、一部の温風が吹き出すようになっているので、送風邪魔板１４の前面に沿って下向きとなった温風の流れは、下部の通風路８ｂから吹き出す少量の温風でも送風邪魔板１４から剥がれ、上部の通風路８ａの温風は前方に向かって噴出すようになった。
【００３５】
１５は送風流路６の両側の側壁に設けた空気遮蔽板であり、該空気遮蔽板１５は少なくとも燃焼室３の側部に向けて取り付けてあり、この燃焼室３の側部に対応する空気遮蔽板１５は燃焼室３の大きさが送風流路６に比べて小さなときに有効であり、前記送風邪魔板１４の下方の通風路８ｂに向う送風機７の温風が燃焼室３だけでなく空気遮蔽板１５にも遮られるようになっている。
【００３６】
このため、比較的送風機７のファンの直径が大きくて一部の空気が燃焼室３の背部にぶつかって側部を回り込んで前方に向かい、また、送風流路６に比べて燃焼室３が小さくて燃焼室３の側方から前方に向かう温風の流れを止めることができ、送風機７からの温風は送風邪魔板１４の通風路８ｂに直接流れなくなり、送風邪魔板１４に遮られた温風は吹出口前板９の前方の送風間隔１１に誘導され、制御機構部Ｂの前方にも確実に温風を吹き出すようになった。
【００３７】
また、制御機構部Ｂの前方で送風間隔１１を構成する吹出口前板９の取り付け構造において、吹出口前板９は送風流路６の側壁との接続部を空気遮蔽板１５よりも前方で、かつ、燃焼室３の前縁よりも後部に設けることがのぞましく、このような構造とすることによって送風邪魔板１４の側部の開口面積が大きくなり、送風邪魔板１４の下部の通風路８ｂと比べて、多くの温風が吹出口前板９とルーバ１０との間の送風間隙１１に流れやすくなり、制御機構部Ｂの前方に吹き出す温風の流速が早くなり、遠くまで届くようになった。
【００３８】
【発明の効果】
上記のようにこの発明では送風機７の風が送られる送風流路６内の燃焼室３や熱交換部４構造を特定し、更に、温風吹出口８の位置と放熱部Ａの前方の温風吹出口８に配置した送風邪魔板１４との取付け位置を特定することによって、送風機７の風が放熱部Ａの前方だけでなく制御機構部Ｂの前方の温風吹出口８からも吹き出すことができるようになったものであり、奥行きの短い暖房器であっても枠体１の前方であれば暖房開始直後から採暖することができるようになった。
【００３９】
実質的に温風を制御機構部Ｂの前方に誘導するための部品は片側を送風流路６に接続した送風邪魔板１４だけであり、温風の流れの障害になると思われる送風邪魔板１４によって温風の流れを変えるために、この発明では燃焼室３や熱交換部４の構造を特定することによって達成するものであるから、枠体１の奥行きは短い寸法で実現でき、暖房器枠体１の形状を幅と奥行き共にコンパクトな形状にすることができた。
【００４０】
また、ルーバ１０の内側の送風邪魔板１４と温風吹出口８の上端部との間の通風路８ａには、送風流路前板１３に遮られた送風機７からの温風が送られ、この通風路８ａから枠体１の前方に向けて強い流速の温風が吹き出しており、従来のものと代わりなく温風が遠くまで届くものである。
【００４１】
更に、送風流路６内の燃焼室３と送風流路６の側壁との間に空気遮蔽板１５を設けたから、送風機７の風は送風流路６の幅よりも燃焼室３が小さな時でも送風邪魔板１４の通風路８ｂに直接流れなくなり、送風流路６の下部に向かう送風機７の風はすべて送風邪魔板１４に吹付けられて、温風は送風邪魔板１４の下方の通風路８ｂと吹出口前板９の前方へ誘導され、制御機構部Ｂの前方にも確実に温風を吹き出すようになった。
【００４２】
また、制御機構部Ｂの吹出口前板９は送風流路６内の燃焼室３の前縁よりも後部にのぞませたから、送風邪魔板１４の側部の開口面積が大きくなり、多くの温風が吹出口前板９とルーバ１０との間の送風間隙１１に流れるから、制御機構部Ｂの前方に吹き出す温風の流速が高まったものである。
【図面の簡単な説明】
【図１】この発明の実施例を示す暖房器の横断面図である。
【図２】この発明の図１の実施例のＸ−Ｘ切断面による縦断面図である。
【図３】この発明の図１の実施例のＹ−Ｙ切断面による縦断面図である。
【図４】この発明の実施例を示す暖房器の正面図である。
【符号の説明】
１    暖房機枠体
１ａ  前面板
２    バーナ
３    燃焼室
３ａ  天板
４    熱交換部
４ａ  熱交換パイプ
４ｂ  排気ガス室
５    燃料供給手段
６    送風流路
７    送風機
８    温風吹出口
８ａ  通風路
８ｂ  通風路
９    吹出口前板
１０    ルーバ
１１    送風間隔
１２    排気管
１３    送風流路前板
１４    送風邪魔板
１５    空気遮蔽板
Ａ    放熱部
Ｂ    制御機構部
【図１】
0003876688.tif 000002
【図２】
0003876688.tif 000003
【図３】
0003876688.tif 000004
【図４】
0003876688.tif 000005